(57)【要約】  靴のソール１のためのサポートカスタマイズシステムについて説明する。ソール１は比較的柔軟な弾性ミッドソール３と、より硬いアウトソール４とを含む。ミッドソール３内の垂直空洞部２に挿入するための硬いインサート要素５を提供する。異なる垂直空洞部内の異なるインサート硬さ５を変えることにより、着用者の歩行に対する正確に適応可能な回内制御効果を達成することができる。一次、二次および三次回内制御効果について説明する。例えば泥や水の侵入を制限することにより着用者の足に対する固有受容感覚（感覚運動）効果の正確性を高めるための方策を提供する。【選択図】図１
2022501125.tif 000002
【特許請求の範囲】
【請求項１】
第１のデュロメータを有する第１の材料のミッドソール部分（３）を含むソール（１）であって、前記ミッドソール（３）は上側の足に面している表面（７）および下側の地面に面している表面を有するソール（１）と、
前記ミッドソールの下面（１５）の下にあるアウトソール部分（４）であって、前記アウトソールは第２のデュロメータを有するアウトソール部分（４）と、
前記ミッドソール（３）の第１の領域内の複数の空洞部（２）であって、各空洞部（２）は前記ミッドソールの前記下面と前記上面（７）との間で前記上面（７）に実質的に直角の垂直軸（８）に沿って延在する空洞部（２）と、
そのそれぞれが前記各垂直空洞部（２）の位置において前記ソール（１）の垂直サポート硬さを調整するために前記垂直空洞部（２）の１つの中に実質的に全体が挿入されている複数のサポート調整要素（５）と
を含み、
前記各垂直空洞部（２）は、前記調整要素が前記アウトソール（４）を通って延在するように前記下面に前記サポート調整要素（５）の１つを受け入れるための挿入開口部を含み、
前記複数のサポート調整要素（５）は、第３のデュロメータを有する第１のサポート調整要素（５）と、前記第３のデュロメータとは異なる第４のデュロメータを有する第２のサポート調整要素（５）とを含み、前記第３および第４のデュロメータのうちの少なくとも１つは前記第１のデュロメータよりも大きく、かつ
前記調整要素のそれぞれが前記空洞部に挿入するための本体部分と、前記アウトソール（４）の開口部に接合されているかその中に位置している前記本体部分よりも幅広の下部（５’）とを含む、
ことを特徴とする履物物品。
【請求項２】
前記第２のデュロメータは前記第１のデュロメータよりも大きい、請求項１に記載の履物。
【請求項３】
前記第４のデュロメータは前記第３のデュロメータとは異なり、かつ前記第３および第４のデュロメータのうちの少なくとも１つは前記第１のデュロメータよりも大きい、請求項１または２に記載の履物。
【請求項４】
前記垂直空洞部の第１の垂直空洞部に挿入されている場合には前記第１および第２のサポート調整要素（５）のそれぞれおよび前記複数の垂直空洞部（２）は、前記第１および第２のサポート調整要素（５）が前記第１の垂直空洞部の前記挿入開口部から前記第１の垂直空洞部（２）に交換可能に挿入可能であるように、前記上面（７）および／または下面（１５）に平行な水平平面（９）において前記第１の垂直空洞部（２）と実質的に同じ断面を有する、請求項１乃至３のいずれか１項に記載の履物。
【請求項５】
前記第１のサポート調整要素（５）、前記第２のサポート調整要素（５）および前記複数の垂直空洞部（２）の第１の垂直空洞部は、前記垂直軸（８）に沿って実質的に同じ垂直長さ（１１）を有する、請求項１乃至４のいずれか１項に記載の履物。
【請求項６】
前記第１および第２のサポート調整要素（５）および前記複数の垂直空洞部（２）はそれぞれ、その垂直長さ（１１）の少なくとも大部分に沿って実質的に一定の断面を有する、請求項１乃至５のいずれか１項に記載の履物。
【請求項７】
前記第１および／または第２のサポート調整要素（５）は、前記第１もしくは第２のサポート調整要素（５）の位置において着用者の足に感覚運動負荷応答刺激を与えるために前記ミッドソール（３）の前記上面（７）よりも長く延在または突出するように構成された感覚運動刺激突起部を含む、請求項１乃至６のいずれか１項に記載の履物。
【請求項８】
前記第１および／または第２のサポート調整要素（５）は前記アウトソール（４）の前記下面（１５’）よりも長く突出している、請求項１乃至７のいずれか１項に記載の履物。
【請求項９】
第１の複数の垂直空洞部（２）は前記ソール（１）の第１の歩行制御領域（２１、２２、２３、２４、２５）に配置されており、かつ第２の複数の前記垂直空洞部（２）は前記ソール（１）の第２の歩行制御領域（２１、２２、２３、２４、２５）内に配置されている、請求項１乃至８のいずれか１項に記載の履物。
【請求項１０】
前記第１および第２の複数の垂直空洞部（２）および前記複数のサポート調整要素は、前記第１の複数のサポート調整要素（５）を前記第１および第２の複数の前記垂直空洞部（２）の中に嵌め込んで挿入することができるように実質的に同じ断面を有する（１８、１９）、請求項９に記載の履物。
【請求項１１】
前記第３のデュロメータは前記第１のデュロメータよりも少なくとも５ショア大きく、かつ前記第４のデュロメータは前記第３のデュロメータよりも少なくとも５ショア大きく、かつ／または前記第３のデュロメータは前記第１のデュロメータよりも小さいか等しい、請求項１乃至１０のいずれか１項に記載の履物。
【請求項１２】
前記調整要素の下部（５’）は、それが挿入される前記空洞部（２）の開口部の幅よりも幅広い前記本体部分の幅の平均して少なくとも５％だけ側方に延在している、請求項１乃至１１のいずれか１項に記載の履物。
【請求項１３】
前記下部（５’）は前記開口部よりも平均して少なくとも２ｍｍまたは少なくとも４ｍｍ幅広に、かつ／または平均して前記本体部分よりも最大で６ｍｍ幅広に側方に延在している、請求項１２に記載の履物。
【請求項１４】
前記ミッドソールの材料はポリウレタン材料を含み、かつ／または各調整要素の本体部分の材料はポリウレタン材料を含み、および／または各調整要素のアウトソール部分（５’）の材料はポリウレタン材料を含む、請求項１乃至１３のいずれか１項に記載の履物。
【請求項１５】
各調整要素には前記ミッドソール内に前記調整要素の本体部分（５’）を保持するための保持要素（１７）が設けられている、請求項１乃至１４のいずれか１項に記載の履物。
【請求項１６】
前記保持要素（１７）は、前記ミッドソールおよび前記本体部分を通して側面に挿入可能であるピンである、請求項１乃至１５のいずれか１項に記載の履物。
【請求項１７】
前記ミッドソール要素の前記下面（１５’）に開口部を有する前記空洞部（２）を形成するように構成された成形具の周りで前記ミッドソール要素の材料を真空成形することにより前記ミッドソール要素（３）を形成する工程を含む、請求項１乃至１６のいずれか１項に記載の履物物品のためのソールを製造する方法。
【請求項１８】
前記ミッドソール要素（３）の前記材料はポリウレタンフォームを含む、請求項１７に記載の方法。
【請求項１９】
前記ソールによって着用者の足に与えられるサポートを制御するための請求項１乃至１６のいずれか１項に記載の履物をカスタマイズする方法であって、
前記着用者の足のサポート要求を決定する工程と、
前記サポート要求に基づいて前記複数のサポート調整要素（５）から前記第１および第２のサポート調整要素（５）を選択する工程と、
前記サポート要求に基づいて前記第１の垂直空洞部（５）を選択する工程であって、前記第１の垂直空洞部は、前記サポート要求を満たすために前記着用者の足に前記ソール（１）によって与えられるサポートを調整するために第３の歩行制御領域（２１、２２、２３、２４、２５）内に位置している工程と、
前記第１および第２のサポート調整要素（５）の１つを前記第１の垂直空洞部（２）に挿入する工程と
を含む方法。
【請求項２０】
前記第１および第２のサポート調整要素の他方を、前記第３の歩行制御領域（２１、２２、２３、２４、２５）または前記第３の歩行制御領域（２１、２２、２３、２４、２５）とは異なる第４の歩行制御領域（２１、２２、２３、２４、２５）内の第２の垂直空洞部（２）に挿入する工程をさらに含む、請求項１９に記載の方法。
【発明の詳細な説明】
【技術分野】
【０００１】
本発明は履物物品、特に着用者の歩行を補正またはサポートするかそれに合わせるための履物のためのソールに関する。
【背景技術】
【０００２】
歩行またはランニング中に着用者の足に一般的なサポートを与えるだけでなく、足のためのサポートの程度が靴底（ソール）の異なる領域間で異なるように靴底を製造することができる。そのため例えば最大の衝撃力を受ける踵領域の材料は、最大の衝撃緩衝効果を与えるように製造されることが多い。サポートにおける所望の変化は、例えば形状、厚さ、密度、硬さおよび曲げ特性などのソールの材料の機械的特性を変えることにより達成することができる。このように、典型的な着用者の足に最適なサポートを与えるためにソールを製造することができる。歩行特性は人によって大きく異なるため、履物製造業者は、推定上の標準におおよそ基づいて幅広い歩行型を満たすように自身の製品のソールを設計する。またソールは異なる種類の用途に合わせるように構成されていてもよい。例えばソールは、長距離のランニングを行うため、ゴルフまたはテニスなどの特定のスポーツを行うため、クロスカントリースキーをするため、あるいは普段着のために構成されていてもよい。ランニングシューズは異なる距離のため、および異なる種類の地形のために異なるソール構成を必要とする。
【０００３】
従って着用者は、広範囲の用途を網羅するがそれらの用途のいずれのためにも十分に構成されていないソールで我慢すること、あるいは異なる用途のために異なる履物を購入すること、例えばロードランニングおよびクロスカントリーランニングのため、または異なる距離のために異なる靴を購入することのいずれかを強いられる。
【０００４】
過回内または過回外などの特定の種類の歩行に合わせるかそれらを補正するように構成された専門家によるソールも入手可能である。歩行型またはスポーツまたは用途の特定の組み合わせに合わせてカスタマイズされたソールを有する靴も入手可能である。特定の人またはさらには特定の足のためにカスタマイズされたソールを有することが可能である。しかしオーダーメイドのソールは高価であり、本発明は主に市販の小売り製品としてかなりの数で製造および流通させることができる履物のためのソールに関する。
【０００５】
先行技術
靴の一体化された底の上に置かれる矯正用インソールを用いて着用者の足に与えられるサポートの特定のカスタマイズ性を提供することが提案されてきた。そのようなインソールは、特定の用途または歩行型に合わせるように構成された異なるサポートの領域を組み込むことができる。例えば矯正具の一部を交換することによりその領域の硬さをカスタマイズすることができる。そのようなカスタマイズ可能な矯正具は欧州特許第２３８３９５２号から公知であり、ここでは矯正具の成形された部品を異なる硬さを有する同様に成形された部品と交換することができる。従ってこの明細書に記載されている矯正具では、インソールによって与えられるサポートの限られたカスタマイズ性しか得られない。
【０００６】
本発明と同じ発明者らの国際公開第２０１６０９２３５３号は、硬いインサートがミッドソールの空洞部に位置しているソールカスタマイズシステムを記載している。この出願は、一定かつ正確な感覚運動刺激を保証するという問題には対処していないが（以下を参照）、それにも関わらずその空洞部の底がアウトソールによって閉鎖されるようにインサートを上からその空洞部内に挿入することができるという点で潜在的に解決法を提供することができる構成を提案している。
【０００７】
欧州特許第１３５２５７９号は、ミッドソールを特定の着用者のためにカスタマイズすることができるように異なる硬さの領域を含むミッドソールについて記載している。ミッドソールの組み立てられた部分は連続した成形物に形成されている場合があり、この場合カスタマイズされたソールはもはやカスタマイズ可能でなくなる。あるいは、組み立てられた部分はソールとは別個の構成要素のままにすることができるが、この場合には全体としてのソールの機械的完全性は大きく低下する。
【０００８】
ドイツ特許第２０３２００９１号は、ソールの特定の領域に与えられるサポートの限られたカスタマイズ性を提供する適応可能なインサートについて記載している。このインサートはソールの内側（すなわち、右靴の左手側または左靴の右手側）、あるいはソールの外側（すなわち、右靴の右手側または左靴の左手側）から入れられ、かつクリップを用いて適所に保持される。このインサートは特定の硬さの六角形の釘を挿入することができる垂直六角形に成形された穴も含む。このように、このインサートの有効硬さはこのインサートの材料よりも硬い釘を挿入することによって変えることができ、これによりこのインサートが適所に位置している場合にソールのその特定の領域において与えられるサポートの程度に関して着用者に若干の制御を与える。このミッドソールには、このインサートをその中に押し込むことができる片側で開放されている幅広の水平空洞部が設けられている。幅広の空洞部の存在により、このインサートが適所にある状態であってもソールの全体的な機械的完全性は低下し、かつ水や塵がソールの中に入ってソール内に深く入り込む経路が生じる。空洞部の上下のミッドソール材料の存在は、それが提供する垂直サポートの量が減少するという点で外側インサートの有効性が低下すること、およびこのインサートのその領域におけるソールによって与えられる垂直サポートの総量をあまり正確に定めることができないことを意味する。時間の経過と共に、空洞部の上下のミッドソールの材料および釘を取り囲んでいるインサート要素の材料は、歩行サイクル中の繰り返しの圧縮により弾性および回復性を失う。そのようなインサート要素は典型的にはより大きいサポートが必要とされるソールの領域に配置されるが、これはインサート材料およびこのインサートの上下のミッドソール材料が繰り返し圧縮され、かつその結果押し潰されることを意味し、それらは特に劣化しやすくなり、それにより靴の着用寿命は短くなる。
【０００９】
歩行補正用インサート要素が一定の固有受容感覚効果を保持し、かつソールに固定されたままであることも重要である。インサートが緩んだり可塑的に圧縮された状態になったり、あるいは泥や水の侵入によって汚染された場合、インサートのカスタマイズされた固有受容感覚圧効果は変化するであろう。
【発明の概要】
【００１０】
本出願に記載されている発明は、先行技術に固有の上記および他の欠点の少なくともいくつかを克服することを目的とする。特に本発明は、請求項１に記載のカスタマイズ可能な履物物品、請求項２３に記載の方法および請求項２５に記載の方法を提供することを目的とする。さらなる変形が従属請求項に定められている。
【００１１】
靴または他の履物物品のソールのためのサポートカスタマイズシステムについて以下に説明する。ソールは比較的柔軟な弾性ミッドソールと、（任意に）より硬いアウトソールとを含む。ミッドソール内の垂直空洞部内に挿入するための様々な硬さのインサート要素を提供する。異なる垂直空洞部内に異なるインサート硬さをカスタマイズすることにより、着用者の歩行に対する正確に調整可能な回内制御効果を達成することができる。一次、二次および三次回内制御効果について説明する。
【００１２】
以下の発明を実施するための形態では、添付の図面に示されている例示的な実施形態および実装形態の例示と共に本発明およびその利点についてさらに説明する。なお図面は本発明の実施形態の例示として意図されており、本発明の範囲を限定するものとして解釈されるべきできない。異なる図面において同じ符号が使用されている場合、これらの符号は同じ特徴または対応する特徴を指すことが意図されている。但し異なる符号の使用それ自体を参照されている特徴間のあらゆる特定の差異を示すものとしてみなすべきではない。本明細書では硬さおよびデュロメータという用語は同義で使用されており、数値による硬さの値はショアＡ硬さスケールを指す。
【図面の簡単な説明】
【００１３】
【図１ａ】固有受容感覚向上インサートのサポートカスタマイズシステムを用いた例示的な靴の概略断面図を側面図で示す。
【図１ｂ】図１ａのサポートカスタマイズシステムに使用するためのサポート調整インサートの例を等角図で示す。
【図２】サポートカスタマイズシステムを用いた第１の例示的なソールの下から見た概略平面図を示す。
【図３】固有受容感覚向上インサートの例示的な形状の断面概略図を示す。
【図４】固有受容感覚向上インサートの例示的な形状の断面概略図を示す。
【図５】固有受容感覚向上インサートの例示的な形状の断面概略図を示す。
【図６】固有受容感覚向上インサートの例示的な形状の断面概略図を示す。
【図７】固有受容感覚向上インサートの例示的な形状の断面概略図を示す。
【図８】固有受容感覚向上インサートの例示的な形状の断面概略図を示す。
【図９】ソール内の固有受容感覚向上インサートの例示的な構成の断面図を示す。
【図１０】ソール内の固有受容感覚向上インサートの例示的な構成の断面図を示す。
【図１１】ソール内の固有受容感覚向上インサートの例示的な構成の断面図を示す。
【図１２】固有受容感覚向上インサートの例示的な構成の横断面図を示す。
【図１３】固有受容感覚向上インサートの例示的な構成の横断面図を示す。
【図１４】固有受容感覚向上インサートの例示的な構成の縦断面図を示す。
【図１５】インサート保持構成の例の横断面図を示す。
【図１６】固有受容感覚向上インサートの例示的な形状の断面図を示す。
【図１７】固有受容感覚向上インサートの例示的な形状の断面図を示す。
【図１８】固有受容感覚向上インサートの例示的な形状の断面図を示す。
【図１９】固有受容感覚向上インサートの例示的な形状の断面図を示す。
【図２０】固有受容感覚向上インサートの例示的な形状の断面図を示す。
【図２１】固有受容感覚向上インサートの例示的な形状の断面図を示す。
【図２２】固有受容感覚向上インサートの例示的な形状の断面図を示す。
【図２３】固有受容感覚向上インサートの例示的な形状の断面図を示す。
【図２４】固有受容感覚向上インサートの例示的な形状の断面図を示す。
【図２５】固有受容感覚向上インサートの例示的な封止および保持構成の断面図を示す。
【図２６】固有受容感覚向上インサートの例示的な封止および保持構成の断面図を示す。
【図２７】固有受容感覚向上インサートの例示的な封止および保持構成の断面図を示す。
【図２８】ライニングを有する例示的な空洞部の断面図を示す。
【図２９】ライニングを有する例示的な空洞部の断面図を示す。
【図３０】ライニングを有する例示的な空洞部の断面図を示す。
【図３１】インサートの例と共に図２８の空洞部を示す。
【図３２】インサートの例と共に図２９の空洞部を示す。
【図３３】インサートの例と共に図３０の空洞部を示す。
【図３４】（球状もしくは円筒状の）空洞部および円形断面を有するインサートの断面図を示す。
【図３５】保持突起部を有するライニングが施された空洞部の例の断面図を示す。
【図３６】保持突起部を有するライニングが施された空洞部の例の平面図を示す。
【図３７】保持を助けるために幅広化された遠位端を有するインサートの断面図を示す。
【発明を実施するための形態】
【００１４】
サポートカスタマイズシステムの例が図１ａおよび図１ｂに示されている。図１ａは、アウトソール４、アウトソール４に接合されたミッドソール３およびミッドソール３の上面７の上に置かれたライナーすなわちインソール６を含むソール１を有する靴の概略断面図を示す。ミッドソール３は弾性材料、例えばエチルビニルアセテート（ＥＶＡ）などのエラストマーまたは他の好適な材料で作られていてもよい。アウトソール４は例えばゴム／ポリウレタンなどの硬い弾性エラストマー材料から構築されていてもよく、かつ少なくともアウトソール４の地面に面している表面においてミッドソール３の硬さよりも大きい硬さを有していてもよい。あるいは、ミッドソール３およびアウトソール４は同じもしくは同様の材料を含んでいてもよく、あるいは同じ鋳型成形された形状の隣接する均質な領域であってもよい。ライナーすなわちインソール６は比較的薄く、かつ／またはより柔軟な材料からなるものであってもよく、かつ着用者の足の底に快適な表面を提供するように機能する。ライナーすなわちインソール６はミッドソール３の上面７を露出させるために取り外すことができる。
【００１５】
図１ａに示されている例示的なソール１には複数（６つが示されている）の垂直空洞部２が設けられており、そのそれぞれがアウトソール４から外に開放されており、かつ垂直軸８に沿ってミッドソール３の上面７に向かって上に延在している。ミッドソール３はその中に形成されている穴（空洞部２）以外は、全体としてのソールの機械的完全性を保証するために連続的な材料で構築されていてもよい。垂直方向は本明細書では、靴が水平な地面に平らな状態で立っている場合の垂直方向であると理解される。従って垂直軸８は、ソール１の少なくとも足中央領域１３および／または踵領域１４において上側すなわちミッドソール３の足に面している表面７および／またはアウトソール４の下面にほぼ平行であるとみなされるソール１の大体の平面９に実質的に直交している。図１ａに示されているソール１は明確性のために平行な上面および下面を有する。実際には例えば、ソールの踵領域が前足領域よりも厚くてもよく（「正のドロップ（ｐｏｓｉｔｉｖｅ  ｄｒｏｐ）」）、またはその逆であってもよく（「負のドロップ（ｎｅｇａｔｉｖｅ  ｄｒｏｐ）」）、かつ／または足中央領域が踵領域および前足領域の両方よりも厚くてもよい。
【００１６】
また本明細書において使用される下側および上側という用語は垂直軸８に関して定められていてもよい。なお垂直という用語は本明細書では、垂直空洞部２の正確な向きではなく大体の向きを示すために使用されており、図１ａに示されている垂直軸８から最大１５°あるいは代わりとしてさらには最大４０°だけ異なる向きを含む。
【００１７】
特に図１ａの断面には６つの空洞部／インサートのみが示されており、全てがソールの踵および足中央部分にあるが、当然のことながらソールはその前方部にも同様の空洞部／インサートを含んでいてもよい。
【００１８】
図１ｂは、ミッドソール３の空洞部２に挿入するために設計された、本明細書ではサポート調整インサートまたは固有受容感覚向上インサートともいうインサートまたはプラグ５のセットを示す。図１ａおよび図１ｂに示されている例では、インサート５はアウトソール４の開口部から空洞部２に挿入することができる。インサートを下から挿入することは、上から挿入する場合よりも挿入開口部に容易にアクセス可能であるという利点を有する。但し以下で考察するように、アウトソール４からインサートを挿入する場合、インサートは過剰圧縮（例えば着用者が石を踏んだ場合）または泥や水の侵入により損傷されやすくなる。
【００１９】
またインサート５は例えばエラストマー材料で作られていてもよく、かつミッドソール３と異なり、かつ／または互いに異なる硬さを有していてもよい。インサート５のいくつかは、特定の空洞部２においてゼロのサポート調整を提供するためにミッドソール３の材料と実質的に同じ硬さを有していてもよい。インサート５にミッドソール３よりも小さい硬さを提供することも可能であり、これは周囲のミッドソール３の材料よりも柔軟な１つ以上のインサート５を挿入することによりその領域の平均硬さを減少させることによって、例えばソール１の特定の領域に負のサポート調整を提供するのに有用であり得る。
【００２０】
インサート５の硬さは所定の硬さのセットから選択してもよい。例えば図１ａに示されているようなソールを有する一対の靴は図１ｂに示されているものと同様のインサート５のセットと共に購入してもよく、その際に異なる硬さの複数の他のインサートが各空洞部に挿入するために入手可能であり、各インサートは所定の硬さの選択のうちの１つを有する。ソール１に存在する空洞部２よりも多くのインサート５がセット中に存在してもよい。ミッドソール３は例えば３０〜７０ショアまたは４５〜６０ショアの範囲の硬さを有していてもよく、かつ提供されるインサート５のセットは、例えば５０ショアの硬さを有するいくつかのインサート、６０ショアのいくつかのインサート、７０ショアのいくつかのインサート、８０、９０またはさらには１００ショアのいくつかのインサートを含んでいてもよい。次いで異なる硬さの異なるインサート５を、設けられている空洞部２およびひとまとめに空洞部２が設けられているソール１の各領域に嵌め込んで各空洞部位置において所望の局所サポート硬さを達成してもよい。ミッドソールが第１のデュロメータを有する場合、空洞部への挿入のためにそこからインサートを選択することができるインサートのセットは、そのそれぞれが所定の複数のデュロメータのうちの１つを有することができるインサートを含んでいてもよい。複数のデュロメータは、５〜４０ショアだけ第１のデュロメータよりも大きいデュロメータを含む５〜２０ショアだけ互いに異なるデュロメータを含んでもよい。以下で考察するように、複数のデュロメータは第１のデュロメータと同じデュロメータおよび／または第１のデュロメータよりも小さい１つ以上のデュロメータを含んでいてもよい。ミッドソール３の第１のデュロメータはミッドソール３の全ての領域にわたって一定であってもよく、あるいはミッドソール３の領域間で異なっていてもよい。後者の場合、第１のデュロメータはミッドソール３の平均デュロメータまたはミッドソール３の特定の領域の局所デュロメータのいずれかであるとみなすことができる。
【００２１】
例えば歩行中に着用者がソールに体重をかけた際に、周囲のミッドソール材料よりも硬いインサート５は、周囲のミッドソール材料によって伝達される力よりも大きい地面と着用者の足との間からの力を伝達するように機能する。それによりこれらのより硬いインサートのそれぞれは、それが挿入されているソールの位置において着用者の足に大きいサポートを与える。インサート５はそれぞれが少なくとも垂直方向に所定の硬さのセットのうちの１つを有し、かつそれらはソール１の実質的に垂直深さ１１全体または少なくともミッドソール３の実質的に深さ１１全体に沿って延在しているので、各空洞部２の位置におけるソール１の正味垂直硬さは特定のインサート５の硬さによってのみ、あるいは大多数がそれによって決定される。アウトソール４の硬さは、それがインサート５の硬さと異なる場合にはその位置においてソール１の正味垂直硬さへの効果にも寄与し得るが、特にアウトソール４が薄く、かつ／またはアウトソール４とインサート５との硬さの差が小さい場合にその寄与は小さくなり得る。同様に、インサート５が挿入されている場合にインサート５の上下に延在するインソール６またはミッドソールのあらゆる重要でない部分の寄与についても特定の空洞部におけるソール１の正味垂直硬さに対する影響は僅かである。正味垂直硬さという用語は本明細書では、おおよその垂直方向への（すなわち垂直軸８に沿って測定した場合の）ソールの圧縮性および回復性の尺度を示すために使用される。特定の位置における正味垂直硬さは、例えばその位置における２５％圧縮強度測定を用いて表したり測定したりしてもよい。この尺度は、例えばインサートがその位置においてソールの厚さの５０％以下である場合に使用してもよい。
【００２２】
例えば、インサートを含む空洞部の位置におけるソールの２５％圧縮強度（２５％だけソール厚を圧縮するために必要な圧力）。インサートのデュロメータが、その位置におけるソールの２５％圧縮強度がインサート／空洞部に隣接する周囲のソールの２５％圧縮強度よりも少なくとも５０％大きいものであるような場合に、インサートを固有受容感覚効果を有するものであるとみなしてもよい。固有受容感覚インサートの有無は以下のように試験を用いて決定してもよい。
【００２３】
特定の位置におけるソールの点としての圧縮強度は、測定されるソールの領域の真上に置かれる例えば２〜４ｃｍ２の所定の面積を有する小さい上側プレートと、測定されるソールの領域の真下であってソールの下面（すなわちインサートおよび存在する場合にはアウトソールの下面）の下に置かれるより大きい下側プレートとの間でソールを垂直に圧縮することにより測定することができる。これらのプレートはソールの厚さの２５％の圧縮（上側プレートと下側プレートとの間の距離を２５％減少させる）までソールを垂直に圧縮するために一緒に移動させてもよい。２５％の圧縮を達成するために上側プレートに印加しなければならない圧力は、その位置におけるソールの圧縮強度の尺度とみなすことができる。
【００２４】
インサートを有するソールの２５％圧縮強度が隣接するソール材料のみの２５％圧縮強度よりも少なくとも５０％大きい場合に、有意な固有受容感覚効果が存在すると言う。
【００２５】
インサートが特定の位置においてソールの少なくとも半分の厚さを占めている場合であって、インサートのデュロメータが周囲のミッドソールのデュロメータよりも少なくとも５ショアＡ大きいか、任意に１０ショアＡ大きい場合に、固有受容感覚効果が存在しているとみなしてもよい。
【００２６】
図１ａおよび図１ｂの例に示されている垂直空洞部２およびインサート５は実質的に平行な垂直側壁を有する。従って空洞部２は、例えばそれらの長さ１１に沿って実質的に一定である水平断面を有していてもよく、あるいは先細り断面、それらを空洞部２に嵌め込み、かつ／またはその後に交換のために取り外すことができる任意の他の形状を有していてもよい。空洞部２およびインサート５の水平断面は円形、楕円形、卵形、六角形、三角形、正方形または長方形などの任意の規則的な形状であってもよく、あるいは不規則な形状を有していてもよい。インサート５および空洞部２は有利には、以下で考察するように２つ以上の空洞部／インサートをソール１の特定の歩行制御領域に嵌め込むことが可能であるように寸法決めされている。この点において、空洞部およびインサート５は例えば５ｍｍ〜５０ｍｍの幅または好ましくは１０ｍｍ〜３０ｍｍの最大の横断寸法を有する水平断面と共に形成されていてもよい。
【００２７】
インサート５はミッドソール３において実質的に垂直に方向づけられており、かつ比較的小さい横寸法を有するので、細かい密度でソールの正味垂直硬さを調整するために複数のインサート５および空洞部２をソール１の特定の領域に配置することができる。従ってソール１の前足領域１２内の回内制御領域は、例えばそれぞれが着用者の回内制御要求に適した硬さを有する複数（例えば３〜１０個）のインサートを組み込んでいてもよい。３〜１０個のインサート５の硬さは同じであってもよく、あるいは段階的であってもよい。例えばインサート硬さを最後尾のインサート５から最前部のインサート５へと増加させてもよい。
【００２８】
上の考察は主に片方の靴のインサート５および空洞部２に関するものであった。一足の靴において同じインサート５をどちらの靴の空洞部２にも使用することができるように、インサート５および空洞部２は同様に作られていてもよい。本サポートカスタマイズシステムは、複数の対の靴が同じセットのサポート調整インサート５を共有することができるように構成されていてもよい。
【００２９】
異なる硬さを有する複数の交換可能なインサート５の使用は、ソール１によって与えられるサポートを着用者の必要性に合わせて細かく調整することができることを意味する。このサポートは左靴と右靴との間、１つのソール１の異なる領域１２、１３、１４間またはさらにはソール１の同じ領域内で異なって調整することができる。
【００３０】
図２は、図１ａに示されているソール１と同様の靴底の平面図１を示し、例えば着用者のために歩行補正の助けとしてカスタマイズされたサポートを達成するために、どのようにしてサポート調整インサート５をミッドソール３において構成することができるかをより詳細に示す。図２は下から見た左靴のミッドソール３を示しており、当然のことながら以下の説明は対応する右靴にも同等に当てはまるが、インサート５の構成は左靴と右靴との間で異なってもよい。
【００３１】
図２の例示的な構成では、ソール１は、踵領域１９、踵内側領域２１、踵外側領域２２、前足外側領域２３、中足骨領域２４および前足内側領域２５を含む。これらの領域は単に例であり、他の領域を選択してもよい。各領域に複数のインサート５が存在する場合、図示のように全体としての領域によって与えられるサポートは、利用可能なインサートの利用可能な値の中間デュロメータ値に等しい全体的な平均硬さを与えるか、当該領域全体に段階的なサポートを与えるかのいずれかのために、異なるデュロメータを有する個々のインサートを含めることにより正確に調整することができる。
【００３２】
人の姿勢における自然な非対称性ならびに人の姿勢および歩行に反映される全体的運動制御において非対称性を引き起こす神経学的影響により、左足と右足は生まれつき僅かに異なる回内の仕方を有する。但し、踵領域の着地部分１９の特性は好ましくは左靴と右靴とで同じであるべきである。
【００３３】
ソールの特定の領域または複数の領域のインサート５は同じ断面形状を有することができるので、インサート５は特定の領域の全ての空洞部２の間またはソールの全ての空洞部２の間で交換可能にすることができる。この場合、ソールによって与えられるサポートの多くの異なる構成は比較的適度な数のインサート５により達成することができる。
【００３４】
各インサート５は単一の隣接する材料部品として形成されていてもよく、あるいは２つ以上の構成部品から形成されていてもよい。それは例えばその剛性を確保するために中実であってもよく、あるいは例えば靴の重量および材料費を抑えるために中空であってもよい。それは一端または両端において開放していてもよく、かつその側壁に開口部を有していてもよい。
【００３５】
安定軸または「Ｓ字ライン」としても知られている理想的な歩行ライン２０も図２に示されており、これは着用者の足がその踵からつま先への地面との接触（歩行サイクル）中におおよそどのようにして回内すべきかを示している。例示的な領域１９、２１、２２、２３、２４はおおよそでのみ特定されており、着用者の歩行を制御するためにどのようにして様々な領域にインサート５を使用することができるかを示すために使用されている。
【００３６】
複数の空洞部２は、図２に示すように有利には同じサイズおよび形状を有していてもよい。特定のセットのインサート５は、それらが異なる硬さを有していたとしても、異なる硬さの複数のインサート５を交換可能に各空洞部２に嵌め込むことができ、かつ特定のインサート５を複数の空洞部２に嵌め込むことができるように同じサイズおよび形状を有していてもよい。図２のミッドソール３の最後部の踵部分１９はこの例ではインサート５がない状態で示されている。この最後部の領域１９の硬さを調整することができるようにすることが有用であり得る場合が存在するかもしれないが、図示されている例は、回内／回外制御のためにどのようにしてサポート調整インサート５を使用することができるかを示すために設計されており、ミッドソール３の最後部領域１９は主に踵の地面への着地衝撃および足の初期の前進運動を緩衝および制御するように機能する。
【００３７】
内側制御領域２１および外側制御領域２２は、歩行サイクルの初期段階の間（すなわち初期踵衝撃の後）の回内の量を制御するために使用することができる。内側領域２１のインサート５１の硬さならびに内側制御領域２１および外側制御領域２２のインサート５１および５２の硬さの賢明な選択により、安定「Ｓ字ライン」２０の周りでの足の回内の程度に影響を与えることが可能である。さらに特定の領域における段階的な硬さのインサート５の使用は二次制御を可能にし、ここでは回内の量だけでなく、歩行またはランニングの際のソールの地面との接触中に足の前進運動に関する回内の変化速度も制御することができる。図２に示されている６つの内側制御インサート５１を例にとってみると、ミッドソール３および／または内側制御インサート５１の硬さに対して３つのインサート５２の硬さを選択することにより一次回内制御を得ることができる。より硬い外側インサート５２はより大きい回内を促し、より柔軟な外側インサート５２は回内をより減らすように助長する。但し外側インサート５２のデュロメータ間の差を変えることにより、二次制御効果を達成することが可能になる。例えばつま先方向への踵に沿ったインサート間の硬さの差が大きい場合（すなわち最後尾の外側インサート５２が最前部の外側インサート５２よりも非常に硬い場合）、足の前進運動に関する回内速度はより大きくなる。これは、地面との総接触時間の割合とみなした場合に回内がより短い時間の間に生じることを意味する。他方、インサート５２の硬さが踵からつま先方向に沿ってほとんど変わらない場合、足の前進運動に関する回内向上効果はより小さくなる。最前部の外側インサート５２が最後尾のインサート５２よりも硬い場合、これは回内速度を下げるように機能する。
【００３８】
回内速度を変えるためにインサートを選択することができるという点で、外側インサート５１および内側インサート５２を三次制御効果を達成するためにさらに使用することができる。外側制御領域２２により多くの空洞部およびインサート５２（例えば踵−つま先軸に平行に走る線に例えば５つのインサート）が設けられている場合、５つの外側インサート５２の硬さは踵からの軸に沿って回内速度を変えるように選択することができる。従って外側インサート５２の硬さを選択することができることにより、回内の量（一次効果）を変えるだけでなく、回内が生じる速度（二次効果）および回内速度における軸方向の変化（三次効果）も変えることが可能である。
【００３９】
多くの空洞部／インサートを使用することにより、細かい密度および多くの異なる方法で回内／回外制御を変えることが可能である。例えば足の個々の骨または骨群を考慮に入れるためにインサート５の硬さを設定することが可能である。例えば中足骨領域または前足領域に対する効果を最小限に抑えながら過剰な踵骨／距骨の傾きを補償することができる。
【００４０】
外側領域２２の交換可能なインサート５２に関連する上記制御効果は図２の他の図示されている領域、すなわちその複数の内側制御インサート５１を有する内側制御領域２１ならびにそれらの前足制御インサート５３および５５を有する前足制御領域２３および２５にも当てはまる。単一の足中央制御インサート５４が足中央制御領域２４に示されており、これは着用者のアーチが沈み込むのを防止するために足中央／中足骨領域に含めることができる。ソール１はそのような単一の足中央インサート２４を単独あるいは例えば図２に示されている１つ以上の他のインサートとの組み合わせで含んでいてもよい。
【００４１】
そのような微調整可能かつ適応可能な歩行制御の結果として、着用者の歩行を改善し、かつ着用者の軸骨格を正すのを可能にし、これは着用者のために有益な効果を有するだけでなく、アウトソール４の耐久性さえ促進し、従って靴の寿命を引き延ばす。
【００４２】
さらに個々のインサートが取り換え可能である場合、ソールは異なる用途または異なる着用者のために、あるいは靴が古くなるにつれて、あるいは着用者の歩行の変化に伴って「調整」することができる。
【００４３】
以下の実施例は、異なる歩行制御目的のために選択することができるインサート硬さを示す。これらの実施例は、図２に示されている構成と同様のソール構成に基づいており、所与の硬さは硬さ５０ショアの例示的なミッドソール材料に対するものである。異なるインサート硬さが特定の領域のために列挙されているが、これらは最後尾から最前部へという順番で列挙されている）。
【００４４】
実施例１：僅かな回外を補正するため
外側制御領域２２：５０ショア、６０ショア、６０ショア
内側制御領域２１：全てが５０ショア以下
前足外側制御領域２３：全てが６０ショア
【００４５】
実施例２：遅発性過回内を補正するため
外側制御領域２２：全てが５０ショア（補正なし）
内側制御領域２１：５０、６０、７０、８０、８０、６０ショア
前足外側制御領域２３：全てが６０ショア
【００４６】
実施例３：深刻な一般的過回内を補正するため
外側制御領域２２：５０、５０、６０ショア
内側制御領域２１：７０、８０、９０、８０、７０、６０ショア
前足外側制御領域２３：全てが６０ショア
【００４７】
実施例４：初期の僅かな過回内を補正するため
外側制御領域２２：５０、５０、６０ショア
内側制御領域２１：７０、６０、５０、５０、５０、５０ショア
前足外側制御領域２３：７０、６０、５０、５０、５０ショア
【００４８】
実施例５：遅発性の僅かな過回内を補正するため
外側制御領域２２：全てが５０ショア（補正なし）
内側制御領域２１：５０、５０、６０、６０、７０、７０ショア
前足外側制御領域２３：全てが５０ショア（補正なし）
【００４９】
図２のソールはまた、着用者の足のアーチの下のソールの一部の縦および捩り剛性を維持するためにどのようにして補剛プレート１０を任意に含めることができるかを示す。そのようなプレートの存在は地表に対する着用者の足の安定性を向上させることができ、かつ靴底の寿命を引き延ばすことができる。プレート１０は図１２〜図１４でも確認できる。
【００５０】
図３〜図８は、上述のような空洞部２およびインサート５のための様々な例示的な構成を示す。図３では、空洞部２はミッドソール３の上面７に開口部を含み、かつアウトソール４によってその下端で閉鎖されている。図４では、空洞部２は上下の開口部と共に示されている。図５〜図８は、空洞部２がミッドソール３の材料の厚さのごく一部（例えば１０％〜２０％）によってその上端で閉鎖されている構成を示す。インサート５は任意の好適な手段によって空洞部２の中に固定されていてもよい。インサートがその空洞部内に永久的に残留することが意図されている場合には、それは空洞部２内の適所に接着または接合または溶接されていてもよい。インサート５は空洞部２に導入することができ、かつ次いで所定の硬さで硬化する液体として提供することさえできる。図５および図６は、インサート５が挿入された状態と挿入されていない状態の空洞部を示す。この例のインサートは、その位置において所望の固有受容感覚刺激圧を足に与えるために選択された硬さを有し得る本体部分５と、アウトソール４の材料と同様の材料を含み得るアウトソール部分５’とを含む。あるいは、インサートは単一の異質材料部品でできていてもよい。
【００５１】
インサート５の下部５’（例えばアウトソール部分）は有利には、空洞部２内に嵌め込まれる本体部分よりも幅広であってもよい。これはその位置においてインサート５によって与えられる一定の固有受容感覚刺激圧を維持するのを助ける以下の利点を有する。第１に、より幅広の外側部分５’はミッドソール要素３の下面１５に当接する。これによりインサートが過剰圧縮され、かつ空洞部内に後退するのを防止する。またそれはインサートに対する負荷をより均等に分散させ、それによりその位置における着用者の足に対する全体としてのインサートからの一定の固有受容感覚刺激効果を保証する。第２に、より幅広の外側部分５’は、インサート本体の側壁が空洞部の側壁と接触している領域を覆う。砂、砂利、粉塵または水がこの領域に侵入することができる場合、これは例えば図５および図６の構成において生じ得るが、蓄積された物質がその位置における固有受容感覚圧を変化させ硬化作用を引き起こし、かつ／またはミッドソール３またはインサート５の材料を侵食する場合があり、その結果インサートが緩んで抜け出る場合がある。
【００５２】
図８は、インサート５がアウトソール４を超えて下方に延在し、それによりその位置における固有受容感覚圧効果を高める例示的な変形を示す。これは上記のようなミッドソール３の下面１５に当接する肩部によってインサートが空洞部内に押し上げられるというリスクを下げることにより可能になる。
【００５３】
図９〜図１１は、足と個々のインサート５との間に生じる圧力を非局在化させるために任意のプレート１６がインサート５の全てまたはいくつかの上に含まれている変形を示す。プレート１６は、インサートの段階的すなわち様々な硬さの固有受容感覚もしくは感覚運動効果に影響を与えることなく圧力を分散させるのに十分な程に硬く、かつ十分に柔軟であってもよい。プレート１６は任意にソールの足接触面積全体またはさらにはソールの全面積を覆っていてもよい。プレート１６は任意に図示のようにミッドソール３の上面７に埋め込まれていてもよい。図９のインサート５はアウトソール４の下面と同一平面に示されている。図１０のインサート５はアウトソール４の下面よりも僅かに長く（１ｍｍ〜５ｍｍ）延在しており、図１１のインサート５は丸みを有してさらに延在しており、それによりその位置における局所化された固有受容感覚刺激圧をさらに増加させる。
【００５４】
図１２〜図１４は、空洞部およびインサートが図１３の場合のような横方向および／または図１４の場合のような縦方向に垂直軸から僅かに角度が付けられた変形を示す。１つ以上の空洞部の垂直軸８、８１、８２、８’は、インサート硬さの選択の効果を高めるために外側または内側に僅かに角度が付けられていてもよい。前足領域の空洞部は、歩行地面接触サイクルの終了時に加速度効果を高めるために垂直軸から前方に角度が付けられていてもよく、それにより着用者の歩行におけるローリングまたはロッキングを向上させる。従ってこの構成により、着用者のローリング歩行を向上させることに加えて、上で考察したような回内制御を行うことが可能になる。本明細書で言及されている傾斜角度は好ましくは３０°未満またはより好ましくは１５°未満である。
【００５５】
図１５はインサート保持構成の例を示す。インサートは接着、接合、溶接によって、あるいは形状嵌合、圧縮嵌合または他の機械的嵌合によってミッドソール３の中に保持されていてもよい。有利には、インサートは、インサートを（例えば熱の印加によって）取り外して交換するのを可能にする接着剤を用いて適所に接着されていてもよい。接着、接合などの代わりまたはそれらへの追加として、図１５に示すように釘またはピン１７などの保持要素を例えば横方向から挿入してインサート５をそれがその空洞部２から抜け出たり外れたりすることができないように適所に固定してもよい。
【００５６】
インサート５はそれらを例えば手でミッドソール３の中に挿入することができるように作られていてもよい。図１６〜図２７は、インサートの下側（アウトソール）部分５’がインサート本体５の側方外向きに延在している様々な構成を示す。アウトソール４にはインサートの対応する下部５’を収容するように成形および寸法決めされている開口部が設けられている。
【００５７】
図１６は、下部５’がアウトソール４の上面および下面と同一平面にある単純なインサート形状を示す。
【００５８】
図１７は、下部５’の上面がアウトソール４の上面と同一平面にあり、かつ下部５’の下面がアウトソール４の下面よりも長く延在する構成を示す。記載されている構成の全てと同様に、インサートの下部５’の下面にはグリップを高めるために模様または溝が設けられていてもよい。
【００５９】
図１８は、下部５’の上面によって形成された肩部がアウトソール４の開口部の側壁に形成された対応する肩部に当接する構成を示す。この例でも下部５’がアウトソール４よりも長く延在している。
【００６０】
図１９は、下部５’がアウトソール４の外面に当接する構成を示す。
【００６１】
図２０は、どのようにしてインサートの下部５’の側面が図示されている角度付き表面などの他のプロファイル形状を有し得るのかを示す。
【００６２】
図２１は、インサートの下部５’が２つの肩部、すなわち例えば図１６または図１７の当接構成と同様であってもよい第１の上側肩部、および図１９の当接構成と同様の第２の下側肩部を有する構成を示す。２つ以上の肩部は泥や水の侵入に対してより多くの保護を提供するという点で有利であり得る。それらはインサートの下部５’をアウトソール４および／またはミッドソール３に接合するためのより多くの表面積も提供する。
【００６３】
図２２は、どのようにしてインサート本体５の上部に、真空吸引によってインサートを空洞部内に保持するのを助けることができる空洞部１２を設けることができるかを示す。垂直の圧力をインサートに加え、それを僅かに圧縮すると、空気を空洞部１２から排出することができる。その圧力を解放した際に得られる圧力差によってその空洞部の周りの表面が互いに引き寄せられて空気が空洞部１２に再度入るのを防止する気密を形成することができる。空洞部１２は図示されているものよりも深くてもよい。インサート材料の硬さを増加させて、中実のインサート材料の体積が減少した状態で固有受容感覚（感覚運動）刺激効果を維持してもよい。
【００６４】
図２３は、下側肩部が泥や水の侵入に対して信頼できる永久的封止を形成するために十分に弾性であり、かつ／またはアウトソール４に十分に申し分なく接合されることにより、下側の肩部がアウトソール４の曲げ移動に対応するように構成されている図２１の構成と同様の２つの肩部のある構成を示す。
【００６５】
図２４は、どのようにしてインサートを機械的嵌合によって空洞部内に保持されるように成形することができるかを示す。図示されている例では、インサート本体の中央部分は、そこを通してインサートが挿入される開口部よりも僅かに幅広であってもよく、それによりインサートが空洞部から抜け出たり外れたりするのを防止する。
【００６６】
インサート５には、例えば空洞部壁内の対応する凹部に係合することができる押し込み式係合部が設けられていてもよい。この突起部は代わりとして空洞部内およびインサート表面の凹部内に配置されていてもよい。図２４〜図２７は、どのようにしてインサートをそのような押し込み式または他の機械的嵌め合いによって空洞部内に保持することができるかの例示的な様々なさらなる例を示す。そのような保持構成は単独または組み合わせで使用してもよい。
【００６７】
図２５は、インサートがインサート５の本体および／またはアウトソール部分にある１つ以上のラッチリングまたはラッチ型もしくは段のある突起部２６、２７によって空洞部内に保持される例を示す。
【００６８】
図２６は、インサートおよび空洞部がインサートを空洞部内に螺合することができるネジ山２８により係合する例を示す。スロット２９または他の係合形状部がインサートの調整を容易にするために設けられていてもよい。
【００６９】
図２７は、どのようにして形状嵌合インサート保持を角度付きもしくはテーパー状表面３０によって実装することができるかを示す。この場合、インサートがより容易にアウトソール４の開口部を通過するように、挿入中にその下部５’を圧縮するように構成された特殊なツールを提供することが有利であり得る。
【００７０】
インサートは、例えばアウトソール４の下面１５から最大５ｍｍ以上長く延在していてもよく、それにより着用者の感覚運動（固有受容感覚）負荷応答を向上させ、足がインサートからの局所化圧力に応答してその向きおよび移動を変化させ、それにより着用者の歩行に影響を与える。
【００７１】
上記例ではインサート５は、ミッドソール３の上面７の下の点まで垂直に延在する空洞部２の中に下から挿入された状態で示されている。インサートおよび空洞部は代わりとしてミッドソール３の上面７の右に延在するか、着用者の足のソールにおいてさらに向上した固有受容感覚（感覚運動）刺激を生じさせるためにさらには上面７の上に突出するように構成されていてもよい。
【００７２】
空洞部２は、図２８〜図３３に示されているような保護ライナー１８と共に設けられていてもよい。空洞部のライニング１８は別個の部品として形成され、かつミッドソール３内の空洞部内に押し込まれるか接合されていてもよい。有利にはライニング１８は、例えばアウトソール４およびライニング１８が、水がミッドソール材料（部分的に吸収性であってもよい）に接触するのを防止するために隣接する防水障壁を形成するようにアウトソール４の一部として形成（例えば鋳型成形）されていてもよい。ライニングによって形成された空洞部には、ライニングの中に挿入されたインサートのより幅広のアウトソール部分５’を受け入れるために図２９、図３０、図３２および図３３に示されているような段のある肩部が設けられていてもよい。
【００７３】
空洞部およびインサートは図２８〜図３３では垂直に向けられた状態で示されているが、それらは着用者の足への局所的最大力伝達方向に沿って固有受容感覚刺激を与えるために、例えば垂直軸から最大１５°または最大３０°まで角度が付けられていてもよい。
【００７４】
インサートは真っすぐな側面の円筒体として示されているが、それらは空洞部内でのそれらの保持を高めるためにくびれた形状または膨らんだ形状であってもよい。
【００７５】
図３４は、インサート５が実質的に丸い断面（例えば球状または円筒状）を有する変形を示す。エラストマーのアウトソール４およびライニング１８は、空洞部を丸いインサートを押し込むのに十分な程に幅広であって挿入されると丸いインサートを保持するのに十分な程に緊密に開放することができるような弾性であるように構成されていてもよい。
【００７６】
図３５および図３６は、どのようにして保持突出部または突起部１７を（有利にはアウトソール４およびライニング１８の材料に隣接して）形成することができるかを示す。アウトソールは、空洞部開口部をインサート（これは突出部１７に対応する窪みを有していても有していなくてもよい）を押し込むのに十分に広げることができる程に十分に弾性にすることができるため、空洞部が再び自然に閉じた場合、インサートは、空洞部２内のインサート本体５上の突出部１７のさらなる側方圧縮によって適所に保持される。前足および踵領域内の空洞部には、これらの領域は歩行またはランニング中に最大の屈曲を受けるため、有利には１つ以上のそのような突出部が設けられていてもよい。特に突出部は有利には、前足領域からの屈曲に対してインサートを保持するために空洞部の前方側壁に位置していてもよい。空洞部の後方壁および／または外側または内側側壁の一方または両方に１つ以上の突出部が任意に設けられていてもよい。
【００７７】
図３７に示すように、幅広化部分１９はインサート５の遠位端に形成されていてもよく、かつインサートが挿入される空洞部２の側壁に横方向の力を加える同様の保持機能として作用してもよい。遠位の幅広化部分１９は有利には、側壁の中にさらなる「噛み合い」を設けるためにインサート５の本体よりも硬く作られていてもよい。インサートが弾性フォーム材料で作られている場合、幅広化はホットプレートをインサートの端面に押し当てるか、あるいはインサートをホットワイヤもしくはブレードを用いて当該材料の押出長さから切断することにより達成してもよい。このプロセスは、例えば水の吸収に対して開放している多孔性の端面を封止するという利点も有する。
【図１ａ】
2022501125.tif 000003
【図１ｂ】
2022501125.tif 000004
【図２】
2022501125.tif 000005
【図３】
2022501125.tif 000006
【図４】
2022501125.tif 000007
【図５】
2022501125.tif 000008
【図６】
2022501125.tif 000009
【図７】
2022501125.tif 000010
【図８】
2022501125.tif 000011
【図９】
2022501125.tif 000012
【図１０】
2022501125.tif 000013
【図１１】
2022501125.tif 000014
【図１２】
2022501125.tif 000015
【図１３】
2022501125.tif 000016
【図１４】
2022501125.tif 000017
【図１５】
2022501125.tif 000018
【図１６】
2022501125.tif 000019
【図１７】
2022501125.tif 000020
【図１８】
2022501125.tif 000021
【図１９】
2022501125.tif 000022
【図２０】
2022501125.tif 000023
【図２１】
2022501125.tif 000024
【図２２】
2022501125.tif 000025
【図２３】
2022501125.tif 000026
【図２４】
2022501125.tif 000027
【図２５】
2022501125.tif 000028
【図２６】
2022501125.tif 000029
【図２７】
2022501125.tif 000030
【図２８】
2022501125.tif 000031
【図２９】
2022501125.tif 000032
【図３０】
2022501125.tif 000033
【図３１】
2022501125.tif 000034
【図３２】
2022501125.tif 000035
【図３３】
2022501125.tif 000036
【図３４】
2022501125.tif 000037
【図３５】
2022501125.tif 000038
【図３６】
2022501125.tif 000039
【図３７】
2022501125.tif 000040
【国際調査報告】
2022501125.tif 000041
2022501125.tif 000042